【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】
テンプレート帳票内の表属性の領域に関する特徴情報を記憶する記憶手段と、
入力された入力帳票の画像データを属性毎の領域に分割する領域分割手段と、
前記領域分割手段で属性毎に分割された各領域の特徴情報を抽出する領域情報抽出手段と、
前記記憶手段に記憶されている前記テンプレート帳票内の表属性の領域に関する特徴情報と、前記領域情報抽出手段で抽出した前記入力帳票内の各領域の特徴情報とを比較することにより、前記入力帳票と前記テンプレート帳票との類似度を算出する類似度算出手段と、
前記算出された類似度に基づいて前記入力帳票に類似するテンプレート帳票の情報を出力する出力手段と、を有する帳票分類装置であって、
前記類似度算出手段で前記特徴情報が比較される入力帳票内の領域の属性は、表属性ならびに前記表属性と異なる属性の両方であることを特徴とする帳票分類装置。
【請求項２】
前記類似度算出手段で比較される特徴情報は、領域の位置と大きさとに関する情報であることを特徴とする請求項１に記載の帳票分類装置。
【請求項３】
前記類似度算出手段で比較される前記入力帳票内の領域の特徴情報は、前記入力帳票内の表属性の領域の特徴情報と枠属性の領域の特徴情報と図属性の領域の特徴情報であることを特徴とする請求項１または２のいずれかに記載の帳票分類装置。
【請求項４】
前記類似度算出手段は、前記入力帳票内の各領域の特徴情報が前記テンプレート帳票内の表属性の領域に関する特徴情報に一致すると判断するたびにスコアを加算していき、当該スコアと前記テンプレート帳票内の表属性の領域の個数とに基づいて前記類似度を算出することを特徴とする請求項１乃至３のいずれか１項に記載の帳票分類装置。
【請求項５】
前記類似度算出手段は、前記スコアを加算する際、前記入力帳票内の領域の属性に応じた重みをつけることを特徴とする請求項４に記載の帳票分類装置。
【請求項６】
前記記憶手段は、前記テンプレート帳票内の表属性と異なる属性を有する領域の特徴情報を更に記憶し、
前記類似度算出手段で比較されるテンプレート帳票内の領域の属性は、前記表属性ならびに前記表属性と異なる属性の両方であることを特徴とする請求項１に記載の帳票分類装置。
【請求項７】
前記類似度算出手段による類似度の算出に先立ち、前記入力帳票に基づいて、前記記憶手段に記憶されているテンプレート帳票の中から比較候補となるテンプレート帳票を絞り込む絞り込み手段を、更に有することを特徴とする請求項１乃至６のいずれか１項に記載の帳票分類装置。
【請求項８】
前記絞り込み手段での絞り込みに用いる比較基準値を設定する設定手段を、更に有することを特徴とする請求項７に記載の帳票分類装置。
【請求項９】
前記絞り込み手段は、前記入力帳票内の表属性の領域の個数と、最大面積を有する表属性の領域が含むセルの個数とに基づいて、前記記憶手段に記憶されているテンプレート帳票の中から比較候補となるテンプレート帳票を絞り込むことを特徴とする請求項７に記載の帳票分類装置。
【請求項１０】
前記絞り込み手段による絞り込みの処理を、多段階に分けて行うことを特徴とする請求項７に記載の帳票分類装置。
【請求項１１】
前記多段階の絞り込みに用いる条件は、段階が進むにつれて緩くなる条件であることを特徴とする請求項１０に記載の帳票分類装置。
【請求項１２】
前記類似度算出手段は、前記絞り込み手段により絞り込まれたテンプレート帳票と前記入力帳票との類似度を算出し、
当該算出された類似度が所定値以上となるテンプレート帳票が無い場合に、前記絞り込み手段は次の段階の絞り込み条件を用いて前記テンプレート帳票を絞り込むことを特徴とする請求項１０または１１のいずれかに記載の帳票分類装置。
【請求項１３】
前記絞り込み手段は、表の数、最大面積の表のセル数、抽出領域の数のうち、少なくとも１つを絞り込みの条件として用いることを特徴とする請求項７に記載の帳票分類装置。
【請求項１４】
前記絞り込み手段は、前記入力帳票の文字認識結果のコードデータを用いて絞り込みを行うことを特徴とする請求項７に記載の帳票分類装置。
【請求項１５】
領域分割手段が、入力された入力帳票の画像データを属性毎の領域に分割する領域分割ステップと、
領域情報抽出手段が、前記属性毎に分割された各領域の特徴情報を抽出する領域情報抽出ステップと、
類似度算出手段が、記憶手段に記憶されているテンプレート帳票内の表属性の領域に関する特徴情報と、前記領域情報抽出ステップで抽出した前記入力帳票内の各領域の特徴情報とを比較することにより、前記入力帳票と前記テンプレート帳票との類似度を算出する類似度算出ステップと、
出力手段が、前記算出された類似度に基づいて前記入力帳票に類似するテンプレート帳票の情報を出力する出力ステップと、を有する帳票分類方法であって、
前記類似度算出ステップで前記特徴情報が比較される入力帳票内の領域の属性は、表属性ならびに前記表属性と異なる属性の両方であることを特徴とする帳票分類方法。
【請求項１６】
コンピュータを、
入力された入力帳票の画像データを属性毎の領域に分割する領域分割手段、
前記領域分割手段で属性毎に分割された各領域の特徴情報を抽出する領域情報抽出手段、
記憶手段に記憶されているテンプレート帳票内の表属性の領域に関する特徴情報と、前記領域情報抽出手段で抽出した前記入力帳票内の各領域の特徴情報とを比較することにより、前記入力帳票と前記テンプレート帳票との類似度を算出する類似度算出手段、
として機能させるためのプログラムを記憶した、コンピュータ読取可能な記憶媒体であって、
前記類似度算出手段で前記特徴情報が比較される入力帳票内の領域の属性は、表属性ならびに前記表属性と異なる属性の両方であることを特徴とするコンピュータ読取可能な記憶媒体。
【手続補正２】
【補正対象書類名】明細書
【補正対象項目名】０００７
【補正方法】変更
【補正の内容】
【０００７】
【課題を解決するための手段】
上記の従来技術の課題を解決するために、本発明に係る帳票分類装置は、テンプレート帳票内の表属性の領域に関する特徴情報を記憶する記憶手段と、入力された入力帳票の画像データを属性毎の領域に分割する領域分割手段と、領域分割手段で属性毎に分割された各領域の特徴情報を抽出する領域情報抽出手段と、記憶手段に記憶されているテンプレート帳票内の表属性の領域に関する特徴情報と、領域情報抽出手段で抽出した入力帳票内の各領域の特徴情報とを比較することにより、入力帳票とテンプレート帳票との類似度を算出する類似度算出手段と、算出された類似度に基づいて入力帳票に類似するテンプレート帳票の情報を出力する出力手段とを有する帳票分類装置であって、類似度算出手段で特徴情報が比較される入力帳票内の領域の属性は、表属性ならびに前記表属性と異なる属性の両方であることを特徴とする。
【手続補正３】
【補正対象書類名】明細書
【補正対象項目名】０００８
【補正方法】変更
【補正の内容】
【０００８】
また、上記の従来技術の課題を解決するために、本発明に係る帳票分類方法は、領域分割手段が、入力された入力帳票の画像データを属性毎の領域に分割する領域分割ステップと、領域情報抽出手段が、属性毎に分割された各領域の特徴情報を抽出する領域情報抽出ステップと、類似度算出手段が、記憶手段に記憶されているテンプレート帳票内の表属性の領域に関する特徴情報と、領域情報抽出ステップで抽出した入力帳票内の各領域の特徴情報とを比較することにより、入力帳票とテンプレート帳票との類似度を算出する類似度算出ステップと、出力手段が、算出された類似度に基づいて入力帳票に類似するテンプレート帳票の情報を出力する出力ステップとを有する帳票分類方法であって、類似度算出ステップで特徴情報が比較される入力帳票内の領域の属性は、表属性ならびに表属性と異なる属性の両方であることを特徴とする。